(57)【要約】【課題】  フィルムやメモリの使用量を自動で抑えるとともに、撮影状況に適したフォーカスブラケット撮影を行うことが可能な撮像装置を提供する。【解決手段】  撮影画面内に設けられた複数の測距センサ１７−１〜１７−ｎによりそれぞれ測定された被写体までの距離データを基に、レンズ１１を自動的に移動させて生成したそれぞれの合焦画像を連続撮影するフォーカスブラケット機能付き撮像装置１において、撮影シーンごとに予め設定された撮影モード入力する操作部１８と、入力された撮影モードを基に連続撮影に用いる複数の測距センサ１７−１〜１７−ｎの数設定するフォーカスポイント選択制御部（20a）とを備え、撮影モードに応じて撮影枚数を変動させることができる。【選択図】  図１
2006308813.tif 000002
【特許請求の範囲】
【請求項１】
撮影画面を構成する複数の撮像領域に応じた測距センサが備えられており、それぞれの測距センサにより測定された被写体までの距離データを基に、フォーカスレンズを移動させてそれぞれの測距センサが合焦した画像を連続撮影するフォーカスブラケット機能付き撮像装置において、
撮影シーンごとに予め設定された撮影モードを入力する撮影モード入力部と、
入力された撮影モードを基に、前記連続撮影に用いる複数の測距センサの数を設定する制御部と、
を備えることを特徴とするフォーカスブラケット機能付き撮像装置。
【請求項２】
前記制御部は、前記入力された撮影モードを基に、前記連続撮影に用いる複数の測距センサの位置を設定する
ことを特徴とする請求項１に記載のフォーカスブラケット機能付き撮像装置。
【発明の詳細な説明】
【技術分野】
【０００１】
本発明は、焦点位置が異なる複数の合焦画像を連続撮影するフォーカスブラケット機能を備えた撮像装置に関する。
【背景技術】
【０００２】
近年、普及しているカメラ（ビデオカメラ、デジタルカメラ、銀塩スチルカメラ等）の多くは、撮影時に自動的に焦点を合わせるオートフォーカス機能を有している。このオートフォーカス機能を用いることにより、被写体にピントが合った画像を容易に撮影することができる。
【０００３】
しかし、オートフォーカス機能による合焦点は１ヶ所のみであり、撮影した被写体が前後に散在している場合などは所望の被写体にピントが合わないことがある。
【０００４】
そこで、焦点位置を変えながら一連の複数画像を連続撮影するフォーカスブラケット撮影機能を用いて撮影した後、撮影された画像群から所望の被写体に焦点が合った画像を選ぶ手法がある。このフォーカスブラケット撮影機能を備えたカメラについては、特許文献１および特許文献２に記載されている。
【０００５】
特許文献１に記載の技術では、撮像装置の画面上に複数の測距センサが設けられ、この測距センサの設置位置である複数のフォーカスポイントにおいてそれぞれ測定された被写体までの距離を基にオートフォーカス処理が行われ、フォーカスブラケット撮影が行われる。
【０００６】
また、特許文献２に記載の技術では、合焦位置から所望の距離間隔および所望の数のフォーカスポイントが予め設定されることにより、この設定されたフォーカスポイントにおける合焦画像のフォーカスブラケット撮影が行われる。
【特許文献１】特開平７−３１８７８５号公報
【特許文献２】特開平７−１３１６９８号公報
【発明の開示】
【発明が解決しようとする課題】
【０００７】
しかし、特許文献１に記載の技術は、撮像装置が有する全てのフォーカスポイントにおける合焦画像が撮影されるため、フォーカスポイントが数十、または数百個設けられている撮像装置では、一連のフォーカスブラケット撮影が終了までには数秒間の時間を要する。
【０００８】
例えば、図１２の撮影画面Ｇ上に＋で示すようにフォーカスポイントが縦５列、横７列配列されている撮像装置について説明する。この撮像装置において毎秒５枚の撮影が可能である場合、全てのフォーカスポイントにおける合焦画像を撮影すると撮影枚数は３５枚であり、撮影時間には７秒要する。
【０００９】
この装置でスポーツシーンなど動きが激しい被写体のフォーカスブラケット撮影を行うと、全ての撮影が終了するまでに被写体が移動して構図からずれたり捉えられなくなったりし、所望の画像が得られないことがあるという問題があった。
【００１０】
また、全てのフォーカスポイントで撮影を行うと、フォーカスポイント数の増加に伴いフィルムやメモリの使用量も増大してしまうという問題もあった。
【００１１】
また、特許文献２に記載の技術は、フォーカスブラケット撮影を行うフォーカスポイント数を設定することができるが、この設定を手動で行わなければならないという問題があった。
【００１２】
またこれら従来の技術では、複数のフォーカスポイントにおける合焦画像の撮影は、被写体が近距離のフォーカスポイントから、または遠距離のフォーカスポイントから順に行なわれるため、予め設定されたオートフォーカス処理により合焦した第一のフォーカスポイントとは無関係に撮影順序が設定されていた。
【００１３】
例えば、５個のフォーカスポイントを用いてフォーカスブラケット撮影を行う場合について図１３を参照して説明する。図１３は、それぞれのフォーカスポイントにおいて合焦したときの結像位置を示す説明図である。結像位置Ａはオートフォーカス処理により合焦したフォーカスポイントにおける結像位置であり、結像位置ｎk、ｎk+1、ｎk+2、ｎk+3は他の４個のフォーカスポイントにおける結像位置である。
【００１４】
従来のフォーカスブラケット撮影では、まず結像位置Ａにおける撮影が行われた後、被写体が近距離のフォーカスポイントから撮影される場合は、結像位置ｎk、ｎk+1、ｎk+2、ｎk+3の順に撮影され、被写体が遠距離のフォーカスポイントから撮影される場合は、結像位置ｎk+3、ｎk+2、ｎk+1、ｎkの順に撮影される。
【００１５】
しかし、これらの撮影順序では被写体の動きが激しい場合、所望の画像を得ることがさらに難しくなるという問題があった。
【００１６】
例えば、サッカーのシュートの瞬間を捉えたい場合、第一のフォーカスポイントはターゲットであるシューターである。図１３において第一のフォーカスポイントであるシューターに合焦した画像の結像位置をＡとすると、所望の画像を得るためには、結像位置Ａに近いｎk+1、ｎk+2から撮影することが望ましい。
【００１７】
しかし、従来の技術では、ｎkから、またはｎk+3から撮影されてしまうため、シューターからは焦点がずれて所望の画像を得られないことがあった。
【００１８】
また、観光地において記念撮影を行うときを例にとると、被写体の構図は画面の上下方向の中央に人物を置き、後景に観光地のシンボルを置くことが多い。この場合、第一のフォーカスポイントは中央の人物である。この人物に合焦した画像の結像位置をＡとすると、所望の画像を得るためにはシンボルがある後景側に徐々にピントをずらしたｎk+2、ｎk+3の順に撮影し、ついでｎk+1、ｎkの順に撮影することが望ましい。なぜなら、フォーカスブラケット撮影は通常の１コマ撮影よりも撮影回数がｎ回多い分、撮影時間も多く要し、時間が経過するに従い人の瞬きなどにより所望の画像が得にくくなるため、人物およびシンボルに合焦した画像から先に撮影することが好ましいためである。
【００１９】
しかし、従来の技術では、ｎkから、またはｎk+3から撮影されてしまうため、やはり所望の画像を得られないことがあった。
【００２０】
本発明は上記事情に鑑みてなされたものであり、フィルムやメモリの使用量を自動的に抑えるとともに、撮影状況に適したフォーカスブラケット撮影を行うことが可能なフォーカスブラケット機能付き撮像装置を提供することを目的とする。
【課題を解決するための手段】
【００２１】
上記目的を達成するための本発明の請求項１に記載のフォーカスブラケット機能付き撮像装置は、撮影画面を構成する複数の撮像領域に応じた測距センサが備えられており、それぞれの測距センサにより測定された被写体までの距離データを基に、フォーカスレンズを移動させてそれぞれの測距センサが合焦した画像を連続撮影するものであり、撮影シーンごとに予め設定された撮影モードを入力する撮影モード入力部と、入力された撮影モードを基に、連続撮影に用いる複数の測距センサの数を設定する制御部とを備えることを特徴とする。
【００２２】
また、請求項２は請求項１に記載の撮像装置であって、制御部は、入力された撮影モードを基に連続撮影に用いる複数の測距センサの位置を設定することを特徴とする。
【発明の効果】
【００２３】
本発明の請求項１のフォーカスブラケット機能付き撮像装置によれば、撮影シーンに応じて使用者により切り替えられる撮影モードに適したフォーカスポイント数を自動で設定することができ、この設定でフォーカスブラケット撮影を行うことができる。
【００２４】
また、本発明の請求項２のフォーカスブラケット機能付き撮像装置によれば、撮影シーンに応じて使用者により切り替えられる撮影モードに適したフォーカスポイント位置を自動で設定することができ、この設定でフォーカスブラケット撮影を行うことができる。
【発明を実施するための最良の形態】
【００２５】
〈第一実施形態〉
本発明のフォーカスブラケット機能付き撮像装置１の第一実施形態を、図１〜図５を用いて説明する。図１は、本実施形態におけるフォーカスブラケット機能付き撮像装置１の構成を示すブロック図である。
【００２６】
フォーカスブラケット機能付き撮像装置１に備えられているレンズ１１は、撮像光を入射し、レンズ駆動部１２によって位置が駆動される。
【００２７】
シャッタ１３は、シャッタ駆動部１４によって駆動されることにより開閉し、レンズ１１から入射した撮像光の受光を制御する。
【００２８】
撮像素子１５は、受光した撮像光を画像信号に光電変換し、タイミングジェネレータ１６により生成されるクロック信号に基づいてこの画像信号を読み出す。
【００２９】
オートフォーカスセンサ部１７（以下、「ＡＦセンサ部」と称する）は、オートフォーカス処理を行うために被写体までの距離を測定する複数の測距センサ１７−１〜１７−ｎを有する。
【００３０】
操作部１８は、使用者により選択される撮影方法（１コマ撮影またはフォーカスブラケット撮影）、および、撮影シーンに応じて使用者により選択される撮影モードを入力する。
【００３１】
シャッタスイッチ１９は、使用者による半押しまたは全押しの操作を入力する。
【００３２】
ＣＰＵ２０は、フォーカスポイント選択制御部２０ａとフォーカスデータ記憶部２０ｂとを有する。
【００３３】
フォーカスポイント選択制御部２０ａは、操作部１８から撮影方法のデータを取得し、撮影方法がフォーカスブラケット撮影の場合には、さらに撮影モードのデータを取得する。そして、この撮影モードを基に、フォーカスブラケット撮影に用いる測距センサ１７−１〜１７−ｎの数を求める。求められた測距センサの数は、測距センサが設けられている撮影画面上の位置であるフォーカスポイントの数ｍとして算出する。
【００３４】
フォーカスデータ記憶部２０ｂは、シャッタスイッチ１９が半押しされたときに、フォーカスポイント選択制御部２０ａで算出された数であるｍ個のフォーカスポイントを選定する。
【００３５】
そして、選定した複数のフォーカスポイントで測定された被写体までの距離から、レンズ１１の位置を駆動するためのオートフォーカスデータをそれぞれ作成して記憶する。
【００３６】
さらに、フォーカスデータ記憶部２０ｂは、シャッタスイッチ１９が全押しされたときにシャッタ１３を開くようにシャッタ駆動部１４を制御するとともに、作成したオートフォーカスデータをレンズ駆動部１２に送信する。
【００３７】
信号処理部２１は、撮像素子１５で読み出された画像信号にノイズ低減などのレベル調整を行うとともに、記録画像フォーマットに変換処理を行う。
【００３８】
記録部２２は、信号処理が行われた画像信号を記録する。
【００３９】
コントラスト検出ＡＦ部２３は、周知の技術であるコントラスト検出によるオートフォーカス処理を行う。
【００４０】
次に、本実施形態におけるフォーカスブラケット機能付き撮像装置１においてフォーカスブラケット撮影を行う場合の動作を図２のフローチャートを参照して説明する。
【００４１】
まず、使用者により操作部１８が操作され、撮影方法および撮影モードが選択される。本実施形態における撮影モードとして、風景、夜景、トワイライト、スナップ、子供、スポーツ、花（マクロ）、ポートレート等が選択できるものとする。本実施形態においては、撮影モードで風景モードが選択された場合について説明する。
【００４２】
撮影方法でフォーカスブラケット撮影が選択されたときは（Ｓ１の「Yes」）、選択された撮影モードを基に、フォーカスブラケット撮影に用いるフォーカスポイント数ｍがフォーカスポイント選択制御部２０ａで算出される（Ｓ２）。撮影モードごとのフォーカスポイント数の算出には、ピントを合わせたい被写体が点在すると考えられる個所までの奥行き、微細なピント精度が必要性、および、撮影にかけられる時間などの算出要素から求められる。
【００４３】
図３は、撮影モードごとのこの被写体の奥行きの度合いを示す説明図である。例えば、風景は手前から後方まで広い範囲にピントを合わせたい被写体が混在するので奥行きは大きく、ポートレートでは顔もしくは目、まつげのようにピントを合わせたい被写体の個所が限定できるので、奥行きは小さい。
【００４４】
また図４は、撮影モードごとの被写体までの奥行き、微細なピント精度の必要性、および撮影にかけられる時間から算出されるフォーカスポイント数ｍの一例を示す表である。本実施形態においては風景モードが選択されているので、フォーカスポイント数はｍ＝５である。
【００４５】
また図５は、撮影モードと、フォーカスポイント算出要素と、算出されるフォーカスポイント数との関係を示す図である。図４および図５に示すように、例えば、被写体までの奥行きが大きく、微細なピント精度が必要な被写体を撮影する場合は、フォーカスポイント数ｍは多く設定される。また、撮影に時間をかけられない被写体を撮影する場合は、フォーカスポイント数ｍは少なく設定される。
【００４６】
次に、上記の処理によりフォーカスポイント数が算出された状態で使用者によりシャッタスイッチ１９が半押しされる（Ｓ３）と、ＡＦセンサ部１７の各測距センサ１７−１〜１７−ｎで測定された被写体までの距離である測距データがフォーカスデータ記憶部２０ｂで読み込まれる（Ｓ４）。
【００４７】
次に、フォーカスデータ記憶部２０ｂでは、読み込まれた測距データを基にｍ＝５個のフォーカスポイントが選定される（Ｓ５）。選定方法には、測距データの値が小さいフォーカスポイントから順に選択される方法や、逆に測距データの値が大きいフォーカスポイントから順に選択される方法などがある。そして、選定されたｍ＝５個のフォーカスポイントの測距データから、画像を合焦させるためのフォーカスデータがそれぞれ生成され記憶される（Ｓ６）。
【００４８】
上記のように、選択されたフォーカスポイントごとにフォーカスデータが生成された状態で使用者によりシャッタが全押しされると（Ｓ７）、シャッタ駆動部１４によりシャッタが開かれるとともに、フォーカスデータ記憶部２０ｂからレンズ駆動部１２に処理対象フォーカスデータであるk＝１番目のフォーカスデータが送信される（１≦k≦ｍ）（Ｓ８）。そして、以下の撮影レリーズ処理が行われる（Ｓ９）。
【００４９】
まず、レンズ駆動部１２ではフォーカスデータが受信されるとこのフォーカスデータを基にレンズが駆動され、撮像光が入射される。入射された撮像光はシャッタ１３を経由し、撮像素子１５で画像信号に光電変換される。
【００５０】
撮像素子１５では、タイミングジェネレータ１６から送信されるクロック信号に基づいて光電変換された画像信号が読み出される。撮像素子１５で読み出された画像信号は、信号処理部２１でノイズ低減などのレベル調整が行われるとともに、記録画像フォーマットに変換処理され、記録部２２に記録される。
【００５１】
以上の撮影レリーズ処理が処理対象フォーカスデータｋ＝５となるまで繰り返されることにより（Ｓ１０、Ｓ１１）、フォーカスブラケット撮影が行われる。
【００５２】
以上の第一実施形態によれば、使用者により入力される撮影モードに適したフォーカスポイント数でフォーカスブラケット撮影が行われるため、メモリの使用量を抑えて効率良く所望の被写体に合焦した画像を撮影することができる。
【００５３】
なお、操作部１８における撮影方法でフォーカスブラケット撮影ではなく１コマ撮影が選択されているときは、信号処理部２１において記録画像フォーマットに変換処理が行われた画像信号がコントラスト検出ＡＦ部２３に送出され、周知のコントラスト検出によるオートフォーカス処理が行われる。
【００５４】
〈第二実施形態〉
本発明のフォーカスブラケット機能付き撮像装置１の第二実施形態を、図６〜図１０を用いて説明する。
【００５５】
本実施形態におけるフォーカスブラケット機能付き撮像装置１の構成は第一実施形態と同様であるため、説明を省略する。
【００５６】
第一実施形態と異なる点は、ＣＰＵ２０のフォーカスポイント選択制御部２０ａにおいて、フォーカスブラケット撮影に用いるフォーカスポイント数ｍに加えて、フォーカスポイントの位置も算出することである。このフォーカスポイントの位置は、ピントを合わせたい被写体が点在すると考えられる個所の画面上での範囲から求められる。
【００５７】
図６は、撮影モードごとの被写体が点在すると考えられる画面上での範囲の一例を示す表である。図６に示すように、例えば、風景は画面全体の広い範囲に被写体が混在すると考えられるため範囲は広いと判断され、ポートレートでは顔、もしくは目またはまつげのようにピントを合わせたい個所は限定されると考えられるため範囲は狭いと判断される。
【００５８】
この判断に基づいて、撮影モードで風景モードが選択された場合に算出されるフォーカスポイントの位置について図７および図８を用いて説明する。図７は、本実施形態において撮影画面Gに設けられたフォーカスポイントFP1〜FP35の位置を示す概念図である。
【００５９】
まず、予め設定されたオートフォーカス処理により合焦するフォーカスポイントが求められる。ここでは、オートフォーカス処理によりフォーカスポイントFP17に合焦したとする。
【００６０】
次に、このフォーカスポイントFP17を基にフォーカスブラケット撮影で用いられるフォーカスポイントの位置が算出される。ここで、用いられるフォーカスポイント数ｍは撮影モードが風景モードであるので第一実施形態に記載の処理によりｍ＝５と算出され、被写体が点在すると考えられる画面上での範囲は広いと判断される。
【００６１】
この判断により、フォーカスブラケット撮影で用いられるフォーカスポイントの位置は、図８に示すように、フォーカスポイントFP17、およびこのフォーカスポイントFP17を中心として垂直方向、水平方向に２ポイントずれたフォーカスポイントFP3、FP15、FP19、FP31の５個であると算出される。そして、算出されたフォーカスポイントにおいてそれぞれ合焦された画像が撮影されることにより、フォーカスブラケット撮影が行われる。
【００６２】
ここで、算出されたフォーカスポイントの中で合焦された画像が得られない場合について図９を用いて説明する。例えば、フォーカスポイントFP19において、コントラストが無いなどの理由で合焦データが得られない場合は、さらにフォーカスポイントFP17から広い範囲の位置にあるフォーカスポイントFP20が図９に示すように算出され、フォーカスブラケット撮影が行われる。
【００６３】
次に、撮影モードでポートレートモードが選択された場合に算出されるフォーカスポイントの位置について図７および図１０を用いて説明する。
【００６４】
ここでも、オートフォーカス処理により、図７に示すフォーカスポイントのうちフォーカスポイントFP17に合焦したとする。ポートレートモードにおいては、用いられるフォーカスポイント数は第一実施形態に記載の処理によりｍ＝３と算出され、被写体が点在すると考えられる画面上での範囲は狭いと判断される。
【００６５】
この判断により、フォーカスブラケット撮影で用いられるフォーカスポイントの位置は、図１０に示すように、フォーカスポイントFP17、およびこのフォーカスポイントFP17を中心として垂直方向に隣り合ったフォーカスポイントFP10、FP24の３個であると算出される。そして、算出されたフォーカスポイントにおいてそれぞれ合焦された画像が撮影されることにより、フォーカスブラケット撮影が行われる。
【００６６】
以上の第二実施形態によれば、使用者により入力される撮影モードに適したフォーカスポイント数およびフォーカスポイント位置でフォーカスブラケット撮影が行われるため、さらに高い精度で所望の被写体に合焦した画像を撮影することができる。
【００６７】
〈第三実施形態〉
本発明のフォーカスブラケット機能付き撮像装置１の第三実施形態について説明する。
【００６８】
本実施形態におけるフォーカスブラケット機能付き撮像装置１の構成は第一実施形態および第二実施形態と同様であるため、説明を省略する。
【００６９】
第一実施形態および第二実施形態と異なる点は、ＣＰＵ２０のフォーカスポイント選択制御部２０ａにおいて、フォーカスブラケット撮影に用いるフォーカスポイント数ｍおよびフォーカスポイントの位置に加え、複数のフォーカスポイントにおける撮影順序も算出することである。
【００７０】
この複数のフォーカスポイントにおける撮影順序の算出方法には例えば以下の（１）〜（５）に挙げる方法がある。
【００７１】
（１）  ｍ個のフォーカスポイントにおける測距データを基に駆動されるレンズの位置により撮影順序を算出する。例えば、ｍ個のフォーカスポイントにおいて駆動されるレンズの位置のうち、オートフォーカス処理により合焦した第一のフォーカスポイントにおいて駆動されるレンズの位置に近い位置から順に撮影する。
【００７２】
（２）  被写体や撮影モードによって撮影順序を算出する。例えば、被写体が人物および観光地のシンボルであるような記念撮影の場合、人物を画面中央に配置し、観光地のシンボルを後景に配置することが多い。この場合は、第一のフォーカスポイントである人物から後景側に徐々にフォーカスポイントをずらして撮影し、その後人物から前側を撮影する。
【００７３】
（３）  レンズの焦点距離に応じて撮影順序を算出する。例えば、焦点距離が長いレンズでは物が鮮明に写る距離範囲である被写界深度が浅くなるので、合焦するレンズの位置が第一のフォーカスポイントにおいて駆動されるレンズの位置に近いフォーカスポイントから撮影する。逆に、焦点距離が短いレンズでは被写界深度が深くなるので、合焦するレンズの位置が第一のフォーカスポイントにおいて駆動されるレンズの位置から遠いフォーカスポイントから撮影する。
【００７４】
（４）  レンズの絞り状態に応じて撮影順序を算出する。例えば、絞りを開いて撮影する場合には被写界深度が浅くなるので、合焦するレンズの位置が第一のフォーカスポイントにおいて駆動されるレンズの位置に近いフォーカスポイントから撮影する。逆に、絞りを絞りこんで撮影する場合には被写界深度が深くなるので、合焦するレンズの位置が第一のフォーカスポイントにおいて駆動されるレンズの位置から遠いフォーカスポイントから撮影する。
【００７５】
（５）  撮影画面上のフォーカスポイントの位置に応じて撮影順序を算出する。例えば、第二実施形態に記載の方法で図１１に示すように５個のフォーカスポイントＡ、ｎk、ｎk+1、ｎk+2、ｎk+3が選定されたとき、まず第一のフォーカスポイントであるＡ点の撮影が行われ、その後Ａ点に近い順にｎk+1、ｎk+2、ｎk、ｎk+3の順に撮影する。
【００７６】
これらの方法のうち撮影状況に適した方法で算出された撮影順序で合焦画像が撮影されることにより、フォーカスブラケット撮影が行われる。
【００７７】
以上の第三実施形態によれば、撮影状況に適した撮影順序で複数のフォーカスポイントに基づいたフォーカスブラケット撮影が行われるため、さらに高い精度で所望の被写体に合焦した画像を撮影することができる。
【図面の簡単な説明】
【００７８】
【図１】本発明の第一実施形態におけるフォーカスブラケット機能付き撮像装置を示すブロック図である。
【図２】本発明の第一実施形態におけるフォーカスブラケット機能付き撮像装置の動作を示すフローチャートである。
【図３】本発明の第一実施形態におけるフォーカスブラケット機能付き撮像装置において設定される撮影モードごとの被写体の奥行きの度合いを示す説明図である。
【図４】本発明の第一実施形態におけるフォーカスブラケット機能付き撮像装置において設定される撮影モードごとの被写体までの奥行き、微細なピント精度の必要性、および撮影にかけられる時間から算出されるフォーカスポイント数ｍの一例を示す表である。
【図５】本発明の第一実施形態におけるフォーカスブラケット機能付き撮像装置において設定される撮影モードと、フォーカスポイント算出要素と、算出されるフォーカスポイント数との関係を示す説明図である。
【図６】本発明の第二実施形態におけるフォーカスブラケット機能付き撮像装置において設定される撮影モードごとの被写体が点在すると考えられる画面上での範囲の一例を示す表である。
【図７】本発明の第二実施形態におけるフォーカスブラケット機能付き撮像装置の撮影画面に設けられたフォーカスポイントの位置を示す概念図である。
【図８】本発明の第二実施形態におけるフォーカスブラケット機能付き撮像装置の撮影画面上の選定されたフォーカスポイントの位置を示す概念図である。
【図９】本発明の第二実施形態におけるフォーカスブラケット機能付き撮像装置の撮影画面上の選定されたフォーカスポイントの位置を示す概念図である。
【図１０】本発明の第二実施形態におけるフォーカスブラケット機能付き撮像装置の撮影画面上の選定されたフォーカスポイントの位置を示す概念図である。
【図１１】本発明の第一実施形態におけるフォーカスブラケット機能付き撮像装置の撮影画面上の選定されたフォーカスポイントの位置を示す概念図である。
【図１２】従来の撮像装置の撮影画面に設けられたフォーカスポイントの位置を示す概念図である。
【図１３】従来の撮像装置の複数のフォーカスポイントにおいて合焦したときの結像位置を示す説明図である。
【符号の説明】
【００７９】
１…撮像装置
１１…レンズ
１２…レンズ駆動部
１３…シャッタ
１４…シャッタ駆動部
１５…撮像素子
１６…タイミングジェネレータ
１７…オートフォーカスセンサ部
１８…操作部
１９…シャッタスイッチ
２０…ＣＰＵ
２０ａ…フォーカスポイント選択制御部
２０ｂ…フォーカスデータ記憶部
２１…信号処理部
２２…記録部
２３…コントラスト検出ＡＦ部
【図１】
2006308813.tif 000003
【図２】
2006308813.tif 000004
【図３】
2006308813.tif 000005
【図４】
2006308813.tif 000006
【図５】
2006308813.tif 000007
【図６】
2006308813.tif 000008
【図７】
2006308813.tif 000009
【図８】
2006308813.tif 000010
【図９】
2006308813.tif 000011
【図１０】
2006308813.tif 000012
【図１１】
2006308813.tif 000013
【図１２】
2006308813.tif 000014
【図１３】
2006308813.tif 000015